(57)【要約】【課題】高温下及び低温下における異常温度の検出精度を向上させることが可能な異常温度検出器、及びこの異常温度検出器を有する電子機器を提供する。【解決手段】本発明の異常温度検出器２０は、温度特性が互いに異なる第１検出素子２１ａ及び第２検出素子２１ｂと、第１検出素子２１ａの静電容量である第１静電容量と設定値Ａとを比較する第１比較、及び第２検出素子２１ｂの静電容量である第２静電容量と設定値Ｂとを比較する第２比較、を行う検出部２２と、を有する。検出部２２は、第１比較の結果を用いた異常低温の検出と、第２比較の結果を用いた異常高温の検出と、のいずれを行うかを、第１静電容量及び第２静電容量の少なくとも１つに基づいて決定する。【選択図】図６
2015001396.tif 000002
【特許請求の範囲】
【請求項１】
温度特性が互いに異なる第１容量性素子及び第２容量性素子と、
前記第１容量性素子の静電容量である第１静電容量と第１判定値とを比較する第１比較、及び前記第２容量性素子の静電容量である第２静電容量と第２判定値とを比較する第２比較、を行う検出部と、を有する異常温度検出器であって、
前記検出部は、前記第１比較の結果を用いた異常低温の検出と、前記第２比較の結果を用いた異常高温の検出と、のいずれを行うかを、前記第１静電容量及び前記第２静電容量の少なくとも１つに基づいて決定すること
を特徴とする異常温度検出器。
【請求項２】
前記検出部は、前記第１静電容量または前記第２静電容量を複数回測定し、前記複数回の測定結果に基づいて、前記第１比較による異常低温の検出、及び前記第２比較による異常高温の検出のいずれを行うかを決定すること
を特徴とする請求項１に記載の異常温度検出器。
【請求項３】
前記第１容量性素子及び前記第２容量性素子の温度特性は、異常高温と正常温度との閾値を含む温度帯、または異常低温と正常温度との閾値を含む温度帯において、温度変化に応じて前記第１静電容量が増減する度合いと、温度変化に応じて前記第２静電容量が増減する度合いと、が互いに異なること
を特徴とする請求項２に記載の異常温度検出器。
【請求項４】
前記検出部は、前記第１静電容量または前記第２静電容量を複数回測定し、前記複数回の測定結果に基づいて、前記装置温度が変化する方向である温度変化方向を判定し、前記温度変化方向に基づいて前記第１判定値及び前記第２判定値を補正すること
を特徴とする請求項３に記載の異常温度検出器。
【請求項５】
前記異常温度検出器は、前記温度変化方向に応じて前記第１容量性素子及び前記第２容量性素子の温度特性が変化する度合いを示した特性変化情報を有し、
前記検出部は、前記温度変化方向の判定結果と前記特性変化情報とを用いて前記第１判定値及び前記第２判定値を補正すること
を特徴とする請求項４に記載の異常温度検出器。
【請求項６】
前記第１判定値及び前記第２判定値はそれぞれ、警告を行うための第１判定水準と、保護動作を行うための第２判定水準と、を含むこと
を特徴とする請求項１〜請求項５に記載の異常温度検出器。
【請求項７】
請求項１〜請求項６のいずれかに記載の異常温度検出器を有し、
前記異常温度検出器により異常温度が検出された場合に、警告及び保護動作の少なくとも一方を行うこと
を特徴とする電子機器。
【発明の詳細な説明】
【技術分野】
【０００１】
本発明は、異常温度検出器、及び異常温度検出器を有する電子機器に関するものであり、特に容量性素子を用いて異常温度の検出を行う異常温度検出器、及び電子機器に関する。
【背景技術】
【０００２】
近年、電子機器において、正常動作可能な温度帯を外れた異常高温または異常低温（以下、まとめて「異常温度」という）を検出する異常温度検出器が実用化されている。異常温度検出器は、異常温度が発生する可能性のある箇所に設けられ、素子状の温度ヒューズやサーミスタ等を含むように構成されている。
【０００３】
しかしながら、構成が複雑な電子機器では、多数の温度ヒューズ等を用いる必要があり、サイズ及びコストの増加につながるという問題があった。また、所定の温度で溶融するスペーサ等を用いた異常温度検出器では、異常高温を検出した後に、スペーサ等の部品を交換する必要があった。
【０００４】
上記に関連して、異常高温検出用素子と参照用素子との間の静電容量の差を測定し、測定された静電容量の差信号を電流遮断装置等に伝達する異常高温検出用装置が開示、提案されている（例えば特許文献１を参照）。
【先行技術文献】
【特許文献】
【０００５】
【特許文献１】特開２０１０−２１０４００号公報
【発明の概要】
【発明が解決しようとする課題】
【０００６】
しかしながら、上記の技術では、異常高温の検出を行うことはできるが、異常低温による障害に対応することはできなかった。また、検出用素子がヒステリシスを持つ場合、装置温度が高温から低温へ変化する場合とその逆とでは、温度に応じた静電容量が異なるため、検出精度が低下するという問題があった。
【０００７】
本発明は、上記の問題を解決するためになされたものであって、その目的は、高温下及び低温下における異常温度の検出精度を向上させることが可能な異常温度検出器、及びこの異常温度検出器を有する電子機器を提供することにある。
【課題を解決するための手段】
【０００８】
上記目的を達成するために本発明の異常温度検出器は、温度特性が互いに異なる第１容量性素子及び第２容量性素子と、前記第１容量性素子の静電容量である第１静電容量と第１判定値とを比較する第１比較、及び前記第２容量性素子の静電容量である第２静電容量と第２判定値とを比較する第２比較、を行う検出部と、を有する異常温度検出器であって、前記検出部は、前記第１比較の結果を用いた異常低温の検出と、前記第２比較の結果を用いた異常高温の検出と、のいずれを行うかを、前記第１静電容量及び前記第２静電容量の少なくとも１つに基づいて決定することを特徴とする。
【０００９】
この構成によると、容量性素子の静電容量に基づいて、異常温度の検出に用いる容量性素子及び判定値を決定する。また、異常低温と異常高温のいずれを検出するかを決定する。これにより、異常高温及び異常低温の両方を検出することができる。
【００１０】
また上記目的を達成するために本発明の異常温度検出器は、前記検出部が、前記第１静電容量または前記第２静電容量を複数回測定し、前記複数回の測定結果に基づいて、前記第１比較による異常低温の検出、及び前記第２比較による異常高温の検出のいずれを行うかを決定する構成にするとよい。
【００１１】
この構成によると、容量性素子の静電容量の変化を利用して、異常低温と異常高温とのいずれを検出すべきであるかを判定することができる。
【００１２】
また上記目的を達成するために本発明の異常温度検出器は、前記第１容量性素子及び前記第２容量性素子の温度特性が、異常高温と正常温度との閾値を含む温度帯、または異常低温と正常温度との閾値を含む温度帯において、温度変化に応じて前記第１静電容量が増減する度合いと、温度変化に応じて前記第２静電容量が増減する度合いと、が互いに異なる構成にするとよい。
【００１３】
この構成によると、複数の容量性素子の温度特性が互いに異なることを利用して、異常高温検出用の容量性素子と、異常低温検出用の容量性素子とを使い分けて、異常温度を検出する。このため、異常低温と異常高温との誤検出を低減し、検出精度を高めることができる。
【００１４】
また上記目的を達成するために本発明の異常温度検出器は、前記検出部が、前記第１静電容量または前記第２静電容量を複数回測定し、前記複数回の測定結果に基づいて、前記装置温度が変化する方向である温度変化方向を判定し、前記温度変化方向に基づいて前記第１判定値及び前記第２判定値を補正する構成にするとよい。
【００１５】
この構成によると、容量性素子が持つヒステリシスにより、温度と静電容量との関係が温度変化方向に応じて変化した場合に、異常温度検出用の判定値を補正する。これにより、ヒステリシスの影響を低減し、検出精度を高めることができる。
【００１６】
また上記目的を達成するために本発明の異常温度検出器は、前記温度変化方向に応じて前記第１容量性素子及び前記第２容量性素子の温度特性が変化する度合いを示した特性変化情報を有し、前記検出部は、前記温度変化方向の判定結果と前記特性変化情報とを用いて前記第１判定値及び前記第２判定値を補正する構成にするとよい。
【００１７】
この構成によると、容量性素子が持つヒステリシスにより、温度と静電容量との関係が温度変化方向に応じて変化した場合に、検出値と判定値との比較に用いる特性変化情報を変更する。これにより、ヒステリシスの影響を低減し、検出精度を高めることができる。
【００１８】
また上記目的を達成するために本発明の異常温度検出器は、前記第１判定値及び前記第２判定値がそれぞれ、警告を行うための第１判定水準と、保護動作を行うための第２判定水準と、を含む構成にするとよい。
【００１９】
この構成によると、高温下または低温下で電子機器が使用され、第１判定水準を下回った場合に、警告が必要であることを、電子機器へ通知できる。また、異常温度がさらに悪化して第２判定水準を下回った場合に、保護動作が必要であることを、電子機器へ通知できる。
【００２０】
上記目的を達成するために本発明の電子機器は、上記のいずれかに記載の異常温度検出器を有し、前記異常温度検出器により異常温度が検出された場合に、警告及び保護動作の少なくとも一方を行うことを特徴とする。
【００２１】
この構成によると、高温下または低温下で電子機器が使用されることにより電子機器の内部に異常温度が発生した場合に、ユーザへ警告メッセージを提示し、電子機器の使用中断を促すことができる。また、異常温度がさらに悪化し、装置破壊につながる恐れがある場合に、電子機器の保護動作を行う。これにより、異常温度による電子機器の破損を防止することができる。
【発明の効果】
【００２２】
本発明によれば、装置温度が高温側及び低温側のいずれにあるかに応じて、温度特性が異なる複数の容量性素子の中から、異常温度の検出に用いる容量性素子を決定する。あわせて、異常低温及び異常高温のいずれを検出するかを決定する。このため、異常高温及び異常低温の両方を検出することができる。また、異常低温と異常高温との誤検出を低減し、検出精度を高めることができる。
【００２３】
また本発明によれば、異常温度が発生した場合に警告メッセージを提示し、さらに異常温度が悪化した場合に、電子機器の動作を強制的に制限する等の保護動作を行う。これにより、電子機器の正常動作が保障できない温度帯における使用を制限し、電子機器の誤動作や装置破壊を防ぐことができる。
【図面の簡単な説明】
【００２４】
【図１】本発明の異常温度検出器を有するテレビジョン装置の装置構成を示すブロック図である。
【図２】本発明の一実施形態に係る異常温度検出器の機能構成を示すブロック図である。
【図３】本発明の一実施形態に係る異常温度検出器の回路構成を示す回路図である。
【図４】本発明の一実施形態に係る検出素子の温度特性を示すグラフ図である。
【図５】本発明の一実施形態に係る検出素子の温度特性を示すグラフ図である。
【図６】本発明の第１の実施形態に係る異常温度検出処理を示すフロー図である。
【図７】本発明の第２の実施形態に係る異常温度検出処理を示すフロー図である。
【図８】本発明の異常温度検出器を有するテレビジョン装置の外観斜視図である。
【図９】本発明の異常温度検出器を有するテレビジョン装置の縦断面図である。
【発明を実施するための形態】
【００２５】
〈実施の形態１〉
以下に本発明の第１の実施形態を、図面を参照しながら説明する。なお、ここで示す実施形態は一例であり、本発明はここに示す実施形態に限定されるものではない。
【００２６】
〈１−１．装置構成について〉
図１は、本発明の異常温度検出器２０を有するテレビジョン装置１の装置構成を示すブロック図である。なお、図１における矢印線は画像／音声データの流れを示している。また、矢印のない直線は、制御部１１が各装置に対する制御信号等を送受信するための通信バスを示している。
【００２７】
テレビジョン装置１は少なくとも、制御部１１、メモリ１２、操作部１３、放送受信部１４、信号処理部１５、ＯＳＤ（On-Screen Display）処理部１６、ディスプレイ１７、及び異常温度検出器２０を含むように構成されている。
【００２８】
制御部１１は、テレビジョン装置１の各部の駆動を制御することにより、画像／音声の再生処理、記録処理、出力処理等を統括制御するためのものである。制御部１１は例えば、複数のマイクロプロセッサから構成されている。
【００２９】
メモリ１２は、テレビジョン装置１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３０】
操作部１３は、ユーザがテレビジョン装置１に対して、画像／音声の再生指示等を行うためのものである。操作部１３は、例えばテレビジョン装置１のハウジングに設けられた複数の操作キーや、不図示のリモコン装置等を含む。操作部１３はこれらの装置により、ユーザ操作を受け付ける。ユーザ操作が受け付けられると、制御部１１は、操作内容に基づいて選局処理や再生処理等を行う。
【００３１】
放送受信部１４は、外部のアンテナ（不図示）に接続されてデジタル放送の選局、受信、周波数変換、増幅、復調等を行う。放送受信部１４は、デジタルチューナ、及び誤り訂正部等を含むように構成されている。
【００３２】
放送受信部１４に含まれるデジタルチューナは、中間周波信号の増幅及び検波を行う。これにより、ＭＰＥＧ２方式のデジタル信号であるＴＳ（＝Transport Stream）の取得を行う。
【００３３】
なおＴＳとは、複数のコンテンツの音声ＰＥＳ（Packetized Elementary Stream）、画像ＰＥＳ、及び付加情報を固定長のＴＳパケットに分割してつなぎ合わせたものである。放送受信部１４へ与えられて画像／音声信号に変換される。なお、ＴＳを変換せずＨＤＤ１５へ記録することも可能である。この場合、放送受信部１４はＴＳのスルーのみを行う。
【００３４】
信号処理部１５は、放送受信部１４が生成したＴＳや、光ディスクドライブ１６が光ディスクより読み出したデジタルデータを入力し、音声情報を含む音声デジタル信号と、画像情報を含む画像デジタル信号とに分離する多重分離部である。具体的には例えば、放送受信部１４より生成されたＴＳを、ＴＳパケットに分割する。そしてＴＳパケットを再結合することにより、音声／画像のＰＥＳを生成する。
【００３５】
そしてＰＥＳを結合することにより、ＥＳ（Elementary Stream＝符号化された音声／画像データ）を生成する。さらに信号処理部１５はＥＳの復号を行い、各種デジタル信号に変換する。復号により得られたデジタル信号は、ＯＳＤ処理部１６またはディスプレイ１７へ出力される。
【００３６】
ＯＳＤ処理部１６は、画像信号を生成する機能部である。ＯＳＤ処理部１６は、テレビジョン装置１が出力すべき情報をユーザが視認できる画像データに変換し、変換した画像データをディスプレイ１７に表示するための画像信号を生成する。生成された画像信号は、ディスプレイ１７へ出力される。
【００３７】
ディスプレイ１７は、例えば液晶パネル及びバックライト（共に不図示）を有する表示装置である。ディスプレイ１７は、信号処理部１５またはＯＳＤ処理部１６より画像信号が入力されることにより、画像の出力を行う。
【００３８】
異常温度検出器２０は、テレビジョン装置１の所定箇所の温度（＝装置温度）を検出し、検出結果を制御部１１へ送出する。これにより、所定箇所で異常温度が検出された場合に、異常温度に応じた処理を制御部１１が実施できるようにする。次に、異常温度検出器２０の詳細について説明する。
【００３９】
〈１−２．異常温度検出器の機能構成について〉
ここで、本発明の第１の実施形態に係る異常温度検出器２０の機能構成を、図２のブロック図を用いながら説明する。なお、図２における破線矢印線は、信号の流れを示している。
【００４０】
図２は、異常温度検出器２０の機能構成を模式的に表した機能ブロック図である。異常温度検出器２０は、第１検出素子２１ａ（＝第１容量性素子）、第２検出素子２１ｂ（＝第２容量性素子）、及び検出部２２を含むように構成されている。また検出部２２は、第１コンパレータ２２ａ、第２コンパレータ２２ｂ、異常温度判定部２２ｃ、及び設定値記録部２２ｄを含むように構成されている。
【００４１】
第１検出素子２１ａ及び第２検出素子２１ｂ（以下、まとめて「検出素子２１」という）は、例えば強誘電系コンデンサであり、互いに異なる温度特性を有する。
【００４２】
検出素子２１は、互いに温度特性が異なることにより、同温度下でもそれぞれの静電容量が異なるものとなる。本発明ではこの点を利用して、異常温度を検出する。なお以下では、第１検出素子２１ａを低温検出用、第２検出素子２１ｂを高温検出用として用いるものとして、説明する。
【００４３】
検出部２２に含まれる第１コンパレータ２２ａ及び第２コンパレータ２２ｂは、検出素子２１の静電容量と、後述する所定の設定値（＝判定値）とを比較し、比較結果を異常温度判定部２２ｃへ送出する。
【００４４】
異常温度判定部２２ｃは、上記の比較結果に基づいて、検出素子２１が設けられた箇所に発生する異常温度を検出する。異常温度が検出された場合、この検出結果を示す信号を制御部１１へ送出する。
【００４５】
設定値記録部２２ｄは、例えば不揮発性の半導体記録媒体である。設定値記録部２２ｄには、後述する図４及び図５に示す設定値である設定値Ａ１（＝第１水準の第１判定値）、設定値Ａ２（＝第２水準の第１判定値）、設定値Ｂ１（＝第１水準の第２判定値）、及び設定値Ｂ２（＝第２水準の第２判定値）が、予め記録されている。各設定値は、異常温度判定部２２ｃにより読み出され、次に説明する異常温度検出処理において用いられる。
【００４６】
〈１−３．異常温度検出処理について〉
次に、異常温度検出器２０が実施する異常温度検出処理の詳細について説明する。本実施形態の異常温度判定部２２ｃは、低温時において、第１検出素子２１ａを用いて異常低温を検出する。つまり、第１検出素子２１ａの静電容量（以下、「第１検出値」という）と所定の設定値Ａとを第１コンパレータ２２ａにより比較し、この比較結果に基づいて異常低温を検出する。
【００４７】
一方、異常温度判定部２２ｃは、高温時において、第２検出素子２１ｂを用いて異常高温を検出する。つまり、第２検出素子２１ｂの静電容量（以下、「第２検出値」という）と所定の設定値Ｂとを第２コンパレータ２２ｂにより比較し、この比較結果に基づいて異常高温を検出する。
【００４８】
以下にこの具体例を、図４及び図５を用いながら説明する。図４は、第１検出素子２１ａの温度特性の一例を示すグラフ図である。また図５は、第２検出素子２１ｂの温度特性の一例を示すグラフ図である。
【００４９】
低温時は、図４に示す温度特性を利用して、第１検出値が設定値Ａ１（図４の太実線）以下となった場合（＝第１条件を満たす場合）に、第１段階の異常低温と判定する。また第１検出値が設定値Ａ２（図４の破線）以下となった場合（＝第２条件を満たす場合）に、第２段階の異常低温と判定する。
【００５０】
一方、高温時は、図５に示す温度特性を利用して、第２検出値が設定値Ｂ１（図５の太実線）以下となった場合（＝第１条件を満たす場合）に、第１段階の異常高温と判定する。また第２検出値が設定値Ｂ２（図５の破線）以下となった場合（＝第２条件を満たす場合）に、第２段階の異常高温と判定する。
【００５１】
異常温度が検出された場合、異常温度判定部２２ｃは、異常温度の段階に応じた信号を制御部１１へ送出する。第１段階の異常温度が検出された場合、制御部１１は、ＯＳＤ処理１６を制御することにより、警告メッセージをディスプレイ１７に表示する。
【００５２】
第１段階の異常温度が検出された後、更に異常温度が悪化し、第２段階の異常温度が検出された場合、制御部１１はテレビジョン装置１を強制的にスタンバイモードへ遷移させる。
【００５３】
なお、上述した各設定値の具体的な値は、テレビジョン装置１の設計段階または製造段階等において、検出素子２１を用いた実測値、検出素子２１の温度特性、正常温度と異常温度との閾値等に基づいて予め定められるものとする。
【００５４】
例えば図４の例は、第１段階の異常低温を−２０℃、第２段階の異常低温を−４０℃で検出するように、設定値Ａ１及び設定値Ａ２を定めている。また図５の例では、第１段階の異常高温を６０℃、第２段階の異常高温を８０℃で検出するように、設定値Ｂ１及び設定値Ｂ２を定めている。
【００５５】
異常温度判定部２２ｃは定期的に、異常温度の検出対象とする箇所の温度（＝装置温度）を測定し、低温側／高温側を判定する。なお本実施形態における低温側とは、正常温度と異常低温との閾値を含む所定の温度帯（例えば−１０℃以下）を指すものとする。また高温側とは、正常温度と異常高温との閾値を含む所定の温度帯（例えば５０℃以上）を指すものとする。
【００５６】
なお、低温側／高温側の具体的な判定方法としては、例えば第１検出値または第２検出値を複数回取得し、この複数回の取得結果に基づき、装置温度が上昇傾向にあるのか、或いは下降傾向にあるのかに基づいて、判定する。
【００５７】
例えば図５に例示した温度特性であれば、曲線の頂点付近における装置温度（約１５℃）以上の温度帯においては、第２検出値が減少傾向にあれば、装置温度が上昇傾向にあると判定できる。また、第２検出値が上昇傾向にあれば、装置温度が下降傾向にあると判定できる。
【００５８】
一方、曲線の頂点付近における装置温度（約１５℃）以下の温度帯においては、第２検出値が減少傾向にあれば装置温度が減少傾向にあると判定できる。また、第２検出値が上昇傾向にあれば、装置温度が上昇傾向にあると判定できる。
【００５９】
異常温度判定部２２ｃは、上記の判定を定期的に行い、装置温度の上昇傾向が続けば高温側と判定し、下降傾向が続けば低温側と判定する。
【００６０】
異常温度判定部２２ｃは、低温側において、第１検出素子２１ａを用いた異常温度の検出を行う。また高温側において、第２検出素子２１ｂを用いた異常温度の検出を行う。この理由を、以下に説明する。
【００６１】
図４に示す温度特性では、設定値Ａ１及び設定値Ａ２により、高温側の異常温度を正確に検出することができない。なぜなら、５０度〜１４０度の温度帯において、第１検出値が設定値Ａ１を上回るためである。
【００６２】
また図５に示す温度特性では、設定値Ｂ１及び設定値Ｂ２により、低温側の異常温度を正確に検出することができない。なぜなら、第１段階の異常低温である−２０℃に到達するまでに、第２検出値が設定値Ｂ１を下回るためである。
【００６３】
図５の例では、−１５℃近傍で、第２検出値が設定値Ｂ１を下回っている。このため、第２検出素子２１ｂを低温側で用いた場合、−２０℃を下回っていない状態において、異常低温を誤検出してしまう可能性がある。
【００６４】
このため、異常温度判定部２２ｃは、低温側／高温側の判定結果に応じて、異常温度の検出に用いる検出素子２１を決定する。
【００６５】
次に、以上で説明した異常温度検出処理の処理フローを、図６のフロー図を用いながら説明する。なお図６に示す処理フローは、テレビジョン装置１の電源が起動された時点で開始される。
【００６６】
本処理の開始後、異常温度判定部２２ｃはステップＳ１１０において、第１検出素子２１ａ及び第２検出素子２１ｂの静電容量を、第１コンパレータ２２ａ及び第２コンパレータ２２ｂを用いて測定する。
【００６７】
次に異常温度判定部２２ｃはステップＳ１２０において、上記の測定結果に基づいて、高温側／低温側の判定を行う。
【００６８】
次に異常温度判定部２２ｃはステップＳ１３０において、異常温度の判定に用いる検出素子２１を決定する。つまり、低温側であれば第１検出素子２１ａを用い、高温側であれば第２検出素子２１ｂを用いることを、決定する。
【００６９】
次に異常温度判定部２２ｃはステップＳ１４０において、ステップＳ１３０で決定した検出素子２１により得られる検出値と、この検出素子２１に対応する第１段階の設定値とを比較する。そして検出値が第１段階の設定値を上回るか否かを判定する。例えば低温側である場合、第１検出値が設定値Ａ１を上回るか否かを判定する。
【００７０】
上回る場合、再びステップＳ１１０へ移行し、静電容量の測定を継続して行う。一方、下回る場合、異常温度判定部２２ｃはステップＳ１５０において、第１段階の異常温度が検出されたことを示す信号を、制御部１１へ送出する。この信号を受けた制御部１１は、異常温度が検出されたことを示すメッセージ画像をディスプレイ１７に表示するよう、ＯＳＤ処理部１６を制御する。
【００７１】
次に異常温度判定部２２ｃはステップＳ１６０において、ステップＳ１３０で決定した検出素子２１により得られる検出値と、この検出素子２１に対応する第２段階の設定値とを比較する。そして検出値が第２段階の設定値を上回るか否かを判定する。例えば低温側である場合、第１検出値が設定値Ａ２を上回るか否かを判定する。
【００７２】
上回る場合、再びステップＳ１１０へ移行し、静電容量の測定を継続して行う。一方、下回る場合、異常温度判定部２２ｃはステップＳ１７０において、第２段階の異常温度が検出されたことを示す信号を、制御部１１へ送出する。この信号を受けた制御部１１は、テレビジョン装置１をスタンバイモードへ移行させるよう、テレビジョン装置１の各部を制御する。
【００７３】
具体的には例えば、不図示の電源に対して電源電圧の低下を指示したり、ディスプレイ１７に対して表示の強制停止を指示したりする等の、保護動作を実施する。スタンバイモードへの移行が完了すると、本処理を終了する。
【００７４】
〈１−４．異常温度検出器の回路構成について〉
次に、図２に示した機能ブロック図に基づいて設計された電子回路の一例を、図３の回路図を用いつつ説明する。
【００７５】
図３のＭＡＩＮ  ＳＯＣ（＝System on a Chip）は、図２の制御部１１に相当する。また図３のＴＯＵＣＨ  ＳＥＮＳＯＲは、図２の操作部１３及び検出部２２に相当する。また図３のコンデンサＣ１は、図２の第１検出素子２１ａに相当する。また図３のコンデンサＣ２は、図２の第２検出素子２１ｂに相当する。
【００７６】
ＴＯＵＣＨ  ＳＥＮＳＯＲは、操作部１３に含まれ、テレビジョン装置１の前面等に設けられた操作キーの押下を検知するために用いられる。本実施形態では、このＴＯＵＣＨ  ＳＥＮＳＯＲを、検出部２２として兼用する。
【００７７】
コンデンサＣ１またはコンデンサＣ２の静電容量が減少し、ＴＯＵＣＨ  ＳＥＮＳＯＲが第１段階の異常温度を検出した場合、ＴＯＵＣＨ  ＳＥＮＳＯＲは温度検知ＬＩＮＥに電圧を印加する。温度検知ＬＩＮＥの電圧レベルが所定の閾値電圧を越えたことをＭＡＩＮ  ＳＯＣが検知すると、ＭＡＩＮ  ＳＯＣは警告メッセージを表示するための各種制御を行う。
【００７８】
コンデンサＣ１またはコンデンサＣ２の静電容量がさらに減少し、第２段階の異常温度が検出された場合、ＴＯＵＣＨ  ＳＥＮＳＯＲはＰＲＯＴＥＣＴ  ＬＩＮＥに電圧を印加する。ＰＲＯＴＥＣＴ  ＬＩＮＥの電圧レベルが所定の閾値電圧を越えたことをＭＡＩＮ  ＳＯＣが検知すると、ＭＡＩＮ  ＳＯＣは強制的にテレビジョン装置１をスタンバイモードへ遷移させるための各種制御を行う。
【００７９】
〈１−５．テレビジョン装置の外観及び内観について〉
以上に説明した異常温度検出器２０を有するテレビジョン装置１の外観及び内観について、図８及び図９を用いて説明する。なお、以下では、テレビジョン装置１の画像が表示される側を前側と呼び、その反対側を裏側とよぶ。
【００８０】
図８は、テレビジョン装置１の外観斜視図である。図９は、テレビジョン装置１の縦断面図である。図８に示すように、テレビジョン装置１は、テレビジョン装置本体１０１と、スタンド１０２と、操作キー１０３と、を備えている。また、図９に示すように、テレビジョン装置本体１０１は、液晶パネル１１１と、エッジライト方式のバックライトモジュール１１２と、制御基板１１３と、これらを収容するキャビネット１１４と、を有している。
【００８１】
液晶パネル１１１は、その背後のバックライトモジュール１１２から照射される光の透過率を制御し、またその光を反射し、所定の画像を液晶パネル１１１の前面（図９では左側の主面）に表示する。
【００８２】
バックライトモジュール１１２は、液晶パネル１１１の背後に配置され、所定の画像を表示させるための光を液晶パネル１１１に照射する照明装置である。制御基板１１３には、図３に示したＭＡＩＮ  ＳＯＣ等に相当する電子部品が搭載されている。
【００８３】
本実施形態では、図３に示したＰＯＷＥＲに接続される電源キー、及び図３に示したＭＥＮＵに接続されるメニューキーが、操作キー１０３に設けられている。また図３に示したコンデンサＣ１及びコンデンサＣ２が、液晶パネル１１１またはバックライトモジュール１１２の周辺に設けられている。これにより、液晶パネル１１１またはバックライトモジュール１１２に発生した異常温度を検出する。
【００８４】
〈１−６．本実施形態の特徴について〉
以上に説明した本実施形態によれば、異常温度検出器２０は、温度特性が互いに異なる第１検出素子２１ａ及び第２検出素子２１ｂと、第１検出素子２１ａの静電容量である第１静電容量と設定値Ａとを比較する第１比較、及び第２検出素子２１ｂの静電容量である第２静電容量と設定値Ｂとを比較する第２比較、を行う検出部２２と、を有する。検出部２２は、第１比較の結果を用いた異常低温の検出と、第２比較の結果を用いた異常高温の検出と、のいずれを行うかを、第１静電容量及び第２静電容量の少なくとも１つに基づいて決定する。
【００８５】
これにより、複数の検出素子２１の温度特性が互いに異なることを利用して、異常高温検出用の検出素子２１と、異常低温検出用の検出素子２１とを使い分ける。また、検出素子２１の静電容量に応じて、異常低温と異常高温とのいずれを検出するかを決定する。このため、異常高温と異常低温との両方を検出することができる。
【００８６】
また本実施形態によれば、検出部２２が、第１静電容量または前記第２静電容量を複数回測定し、複数回の測定結果に基づいて、第１比較による異常低温の検出、及び第２比較による異常高温の検出のいずれを行うかを決定する。
【００８７】
これにより、検出素子２１の静電容量の変化を利用して、異常低温と異常高温とのいずれを検出すべきであるかを判定することができる。
【００８８】
また本実施形態によれば、第１検出素子２１ａ及び第２検出素子２１ｂの温度特性は、異常高温と正常温度との閾値を含む温度帯、または異常低温と正常温度との閾値を含む温度帯において、温度変化に応じて第１検出値が増減する度合いと、温度変化に応じて第２検出値が増減する度合いと、が互いに異なる。
【００８９】
これにより、複数の容量性素子の温度特性が互いに異なることを利用して、低温側と高温側とで、異常温度の検出に用いる検出素子２１を変更する。このため、異常低温と異常高温との誤検出を低減し、検出精度を高めることができる。
【００９０】
また本実施形態によれば、設定値Ａ及び設定値Ｂはそれぞれ、警告を行うための第１判定水準（設定値Ａ１及び設定値Ｂ１）と、保護動作を行うための第２判定水準（設定値Ａ２及び設定値Ｂ２）と、を含む。
【００９１】
これにより、高温下または低温下でテレビジョン装置１が使用され、第１判定水準を下回った場合に、警告が必要であることを制御部１１へ通知できる。また、異常温度がさらに悪化して第２判定水準を下回った場合に、保護動作が必要であることを制御部１１へ通知できる。
【００９２】
また本実施形態によれば、テレビジョン装置１は、異常温度検出器２０により異常温度が検出された場合に、警告及び保護動作の少なくとも一方を行うことを特徴とする。
【００９３】
これにより、高温下または低温下でテレビジョン装置１が使用されることにより、テレビジョン装置１の内部に異常温度が発生した場合に、テレビジョン装置１の使用中断を促すことができる。また、異常温度が極度に悪化し、装置破壊につながる恐れがある場合に、異常温度によるテレビジョン装置１の破損を防止することができる。
【００９４】
＜実施の形態２＞
次に、本発明の第２の実施形態を、図面を参照しながら説明する。なお第２の実施形態は、コンデンサＣ１及びコンデンサＣ２が持つヒステリシスにより、異常温度の検出精度が低下するのを補正することを特徴とする。
【００９５】
〈２−１．装置構成について〉
第１の実施形態と同じ構成であるため、ここでは説明を省略する。
【００９６】
〈２−２．異常温度検出器の構成について〉
第１の実施形態と同じ構成であるが、検出部２２の機能が一部異なる。本実施形態の検出部２２は、第１検出素子２１ａ及び第２検出素子２１ｂで用いられる各段階の設定値（設定値Ａ１〜設定値Ｂ２）を、複数記録している。
【００９７】
検出素子２１がヒステリシスを持つ場合、高温側から低温側へ移行した場合と、低温側から高温側へ移行した場合とでは、図４及び図５に示す温度特性のカーブが変化する。このため、同温度であっても、温度が変化する方向（以下、「温度変化方向」という）に応じて、検出素子２１の静電容量が異なるものとなる。
【００９８】
例えば、０℃から−２０℃へ移行する場合の−１０℃における静電容量と、−２０℃から０℃へ移行する場合の−１０℃における静電容量が異なるとする。このため、両者の平均を取ったものを、−１０℃における静電容量として、温度特性データ（図４及び図５に示すグラフデータ）を作成していたとする。この場合、温度変化方向に応じて、実際の−１０℃における静電容量と、温度特性データが示す−１０℃における静電容量とに、誤差が生じる可能性がある。
【００９９】
そこで本実施形態では、上記の両パターンで用いる設定値を、個別に用意する。より具体的には、例えば検出部２２のファームウェアに、高温側から低温側へ移行する場合の設定値Ａ１と、低温側から高温側へ移行する場合の設定値Ａ１とを、個別に記録しておく。そして温度変化方向に応じて、用いる設定値Ａ１を決定する。
【０１００】
〈２−３．異常温度検出処理について〉
次に、第２の実施形態の異常温度検出処理の処理フローを、図７のフロー図を用いながら説明する。なお、第１の実施形態の図６と同一の処理については、同じステップ番号を付加することにより、説明を省略するものとする。
【０１０１】
ステップＳ１３０において、使用する検出素子２１を決定した後、異常温度判定部２２ｃはステップＳ１３１において、温度変化方向を判定する。より体的には、異常温度判定部２２ｃは、装置温度を定期的に測定し、測定値を検出部２２内の不図示の記録媒体に保存する。そしてＮ回目（Ｎは自然数）とＮ＋１回目の測定値を比較し、温度変化方向を判定する。
【０１０２】
次に  異常温度判定部２２ｃは、ステップＳ１３２において、温度変化方向に応じて、各段階の設定値（設定値Ａ１〜設定値Ｂ２）を補正する。つまり、温度変化方向に応じた
設定値を、ファームウェアに記録されている複数の設定値の中から読み出す。以降は、読み出した設定値を用いて、ステップＳ１４０〜ステップＳ１７０の処理を実施する。
【０１０３】
〈２−４．異常温度検出器の回路構成について〉
第１の実施形態と同じ構成であるため、ここでは説明を省略する。
【０１０４】
〈２−５．テレビジョン装置の外観及び内観について〉
第１の実施形態と同じ構成であるため、ここでは説明を省略する。
【０１０５】
〈２−６．本実施形態の特徴について〉
以上に説明した本実施形態によれば、検出部２２は、第１検出値または第２検出値を複数回測定し、複数回の測定結果に基づいて、装置温度が変化する方向である温度変化方向を判定し、温度変化方向に基づいて設定値Ａ及び設定値Ｂを補正する。これにより、検出素子２１が持つヒステリシスの影響を低減し、異常温度の検出精度を高めることができる。
【０１０６】
また本実施形態によれば、異常温度検出器２０は、温度変化方向に応じて第１検出素子２１ａ及び第２検出素子２１ｂの温度特性が変化する度合いを示した特性変化情報を有し、検出部２２は、温度変化方向の判定結果と特性変化情報とを用いて設定値Ａ及び設定値Ｂを補正する。
【０１０７】
これにより、ヒステリシスの影響を低減し、異常温度の検出精度を高めることができる。
【０１０８】
＜実施の形態３＞
次に、本発明の第３の実施形態を、図面を参照しながら説明する。なお第３の実施形態は、低温側／高温側にかかわらず、検出素子２１の出力の組み合わせにより、異常温度を検出することを特徴とする。
【０１０９】
〈３−１．装置構成について〉
第１の実施形態と同じ構成であるため、ここでは説明を省略する。
【０１１０】
〈３−２．異常温度検出器の構成について〉
第１の実施形態と同じ構成であるが、検出部２２の機能が一部異なる。以下に、本実施形態の検出部２２が実施する異常温度検出処理について説明する。
【０１１１】
〈３−３．異常温度検出処理について〉
実施の形態１では、異常温度判定部２２ｃは、検出素子２１の静電容量を測定して低温側／高温側を判定した後に、異常温度の検出に用いる検出素子２１及び設定値を決定していた。
【０１１２】
これに対して本実施形態の異常温度判定部２２ｃは、検出素子２１を用いて第１検出値及び第２検出値の両方を監視し、両検出値と各設定値との比較結果に基づいて、異常温度の検出を行う。
【０１１３】
より具体的には例えば、第２段階の許容温度が−４０℃〜８０℃であり、実際の装置温度が−３０℃であったと仮定する。この場合、図５に示すように、第２検出値が設定値Ｂ２を下回る。しかしこの第２検出値による判定結果だけでは、高温側において異常高温（８０℃を超える）が発生しているのか、低温側において許容範囲内（−４０℃を下回らない）であるかの判別がつかない。
【０１１４】
そこで本実施形態の異常温度判定部２２ｃは、第２検出値が設定値Ｂ２を下回った場合に、第１検出値が設定値Ａ１及び設定値Ａ２を下回るか否かを判定する。第１検出値が設定値Ａ２を下回っていれば、第２段階の異常低温であると判定できる。
【０１１５】
一方、設定値Ａ２を下回っておらず、且つ設定値Ａ１を下回っていれば、第１段階の異常低温と判定できる。また、設定値Ａ１を上回っていれば、異常高温であると判定できる。
【０１１６】
〈３−４．異常温度検出器の回路構成について〉
第１の実施形態と同じ構成であるため、ここでは説明を省略する。
【０１１７】
〈３−５．テレビジョン装置の外観及び内観について〉
第１の実施形態と同じ構成であるため、ここでは説明を省略する。
【０１１８】
〈３−６．本実施形態の特徴について〉
以上に説明した本実施形態によれば、複数の検出素子２１を用いて、検出素子２１の」静電容量と設定値との比較を行う。そして一方の検出素子２１において静電容量が設定値を下回った場合に、もう一方の検出素子２１における静電容量と設定値との比較結果を参照する。そしてこの結果に基づいて、異常温度が発生しているか否かを判定する。これにより、異常温度の誤検出を低減するとともに、高温側／低温側のいずれで異常温度が発生しているかを判定することができる。
【０１１９】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【０１２０】
従って本発明は、以下の形態にも適用可能である。
【０１２１】
（Ａ）上記実施形態では、本発明の異常温度検出器を有する電子機器としてテレビジョン装置を例に説明しているが、これ以外の電子機器に本発明の異常温度検出器を実装する形態でもよい。例えば、ＨＤＤレコーダ等の記録再生装置や、ＳＴＢ（Set Top Box)等の受信装置で実施する形態でもよい。
【０１２２】
（Ｂ）上記実施形態では、異常温度を検出するための容量性素子として高誘電系コンデンサを用いているが、これ以外の容量性素子を用いて異常温度を検出する形態でもよい。
【０１２３】
（Ｃ）上記第２の実施形態では、ヒステリシスに対応するために複数の設定値を記録し、温度変化方向に応じて使用する設定値を決定しているが、温度変化方向に応じて設定値を所定値だけ増減させることにより、設定値の補正を行う形態でもよい。
【０１２４】
（Ｄ）上記に関連して、温度変化方向に応じて設定値を補正するのではなく、温度変化方向に応じて温度特性データを変更する形態でもよい。例えば、予め検出部２２のファームウェアに、温度変化方向に応じた温度特性データを複数記録しておく。そして異常温度判定部２２ｃが、温度変化方向の判定結果に基づき、複数の温度特性データの中から使用する温度特性データを決定する形態でもよい。
【符号の説明】
【０１２５】
１    テレビジョン装置（電子機器）
１１    制御部
１２    メモリ
１３    操作部
１４    放送受信部
１５    信号処理部
１６    ＯＳＤ処理部
１７    ディスプレイ
２０    異常温度検出器
２１ａ    第１検出素子（第１容量性素子）
２１ｂ    第２検出素子（第２容量性素子）
２２    検出部
２２ａ    第１コンパレータ
２２ｂ    第２コンパレータ
２２ｃ    異常温度判定部
２２ｄ    設定値記録部
１０１    テレビジョン装置本体
１０２    スタンド
１０３    操作キー
１１１    液晶パネル
１１２    バックライトモジュール
１１３    制御基板
１１４    キャビネット
Ｃ１    コンデンサ（第１容量性素子）
Ｃ２    コンデンサ（第２容量性素子）
【図１】
2015001396.tif 000003
【図２】
2015001396.tif 000004
【図３】
2015001396.tif 000005
【図４】
2015001396.tif 000006
【図５】
2015001396.tif 000007
【図６】
2015001396.tif 000008
【図７】
2015001396.tif 000009
【図８】
2015001396.tif 000010
【図９】
2015001396.tif 000011